(57)【要約】      （修正有）【課題】スノーボードのステップインパインデングに用いられるステップインベースにおいて片方のレバー操作で解放でき、ロック爪の動作音でロックを確認出来て、対雪詰性をよくする。【解決手段】一方の解放レバー２Ａの操作でロックピン３を上方に浮き上がらせて反対側のロックピン３を下方に沈み込むように回動するための溝１Ａの切り込み深さを構成してブーツホルダー４をステップインベース６から解放する。ロック係止面を段階的に変化させたときのロック爪の発生する音の変化を確認可能とした。ロックした状態でのスノーボード上面とロックピン３の距離を段階的に変化させ対雪詰り性を向上させる。【選択図】図１
2005328935.tif 000002
【特許請求の範囲】
【請求項１】
ロック爪２と溝１Ａを有するＬ字状側板１を左右１対に向かい合わせて構成したステップインベース６と、ロック爪２に係合するロックピン３を有するブーツまたはブーツホルダー４の組み合わせからなるステップインシステムの為のステップインベース６であって、前記ロック爪２はロック爪回動中心点からロック係止点までの距離を段階的に増加させている事を特徴とし、前記Ｌ字状側板１は溝１Ａの切り込み深さが、ロック爪２の最終段のロック係止面２Ｄの面がロックピン３と接した時の係止線上のＬ字状側板１側の点Ｐからロックピン３の中心を通る垂直線との交点であるＰ´とロックピン３の最外端面の底部の点Ｑを結んで得られる長さＬを半径とした点Ｐ´を中心とする円Ｒに、同一平面上にあるところの溝１Ａの最底辺１Ｂが接触しないように溝１Ａの切り込み深さを構成した事を特徴としたステップインベース。
【発明の詳細な説明】
【技術分野】
【０００１】
本発明は、スノーボードのステップインバインディングに用いられるところのステップインベースに関するものである。
【背景技術】
【０００２】
スノーボードはハードタイプとソフトタイプとの二つのタイプに分類されが、いずれもステップインシステムの開発を求められている。ハードタイプとはスキー靴に近い構造の硬いブーツを使用し、片やソフトタイプは柔らかい防寒シューズに近い構造のブーツを使用する事からも明確に分類されるが、本発明はソフトタイプに用いられるステップインバインディングに関るものである。
【０００３】
通常ソフトタイプのスノーボードでステップインと呼ばれる着脱方式は、スキーのステップイン金具の考え方をそのままスノーボードに当てはめて開発されたものであるが、それはスキー靴の硬い構造とその強度を利用した方法であるためソフトブーツにも強度が要求されてしまい、ソフトタイプのスノーボードには矛盾する方式であった。今まで数多くのスポーツメーカーがソフトブーツに金具を組み込む等の工夫を施して受け具側であるステップインベースに保持させるスキー形式のステップイン方式の製品を開発したがソフトブーツを好むスノーボーダーには受け入れられなかった。この事はスポーツショップの店頭からそれらのステップインの商品が年々少なくなっている現実で証明されている。
【０００４】
そこで、これらのステップイン方式に変わり、市販のソフトブーツをそのままに利用できるスリップオンと呼ばれる新しい方式が開発され、多くの特許も出願されている。その中でも特に特開平８−３０８９７７における方式は操作性の点や、安定性の面で高い評価を受けているが、そこに使用されているステップインベースは左右のレバーを同時に操作する必要があり不便なことであった。また装着時に雪が詰りロックが完全でない場合もありその確認ができずに不安な点もあった。
【０００５】
以下はスノーボードに関する特許文献である。
【特許文献１】ＥＰＯー０９６６９９４
【特許文献２】ＥＰＯ０９５９７０２
【特許文献３】ＵＳＰ５０３５４４３
【特許文献４】ＵＳＰ５３５４０８８
【特許文献５】ＵＳＰ５９７１４２２
【特許文献６】特開平８−３０８９７７
【発明の開示】
【発明が解決しようとする課題】
【０００６】
解決しようとする最大の問題点は次の通りである。
特開平８−３０８９７７号広報において開示され、スリップオンという新しい方式名称で販売されているところの製品は左右の開放レバーを同時に操作する事により開放されるものであった。しかしこの操作は大変に不便なことであり、かつロックする機構がオンかオフの二者択一的であり雪が間に挟まるとロックできなくなる不都合もあり不便なことであった。またロックしたかどうかの確認ができない事も不満なことであった。
【課題を解決するための手段】
【０００７】
一方の開放レバー２Ａの操作でロックピン３を上方に浮き上がらせると同時に反対側のロックピン３を点Ｐ´を中心として下方に沈み込むように回動する事が可能な様に溝１Ａの切り込み深さを構成する事により簡単にブーツホルダー４をスリップオンベースから開放することを可能とし、かつ、ロック係合面を段階的に変化させることによりロックされた状態の変化を音で確認する事を可能とし、かつロックした状態でのスノーボード上面とロックピン３との距離を段階的に変化させる事により対雪詰り性能を向上させる。
【発明の効果】
【０００８】
本発明により、従来は左右双方の開放レバーを同時に操作しなければ開放できなかった事を、 片方のレバーの操作だけで開放する事を可能とし、かつロック爪２の動作が音を聞くことにより確認できる上、段階的にロック位置が深くなり、対雪詰まり 
性能がよくなる３つの利点が得られた。
【発明を実施するための最良の形態】
【０００９】
ロック爪２はスプリング保持部２Ｂ、開放レバー２Ａが然るべく構成され、且つスプリングＡ、回動抑制ピンＢにより目的を達成するために必要な力の伝達補助具が組み合わされる。
【００１０】
これらの機構は、公知の技術であり多くの組み合わせが利用可能である。特にレバーの開放時の作動方向は自由に選択することが可能なことは当然であり、本発明の実施例においてはレバーを上方向に持ち上げて開放する場合の例を用いているがレバー２Ａの位置を溝１Ａの反対側に延長させることによりレバーを下げる動作により開放するようにすることも可能であるし、スプリングＡは引きバネであっても押しバネでも補助部品の小さな変更で対応可能なことも当然であり、本発明の本質に影響することではないので１つの例をあげるに留めるものである。
【実施例１】
【００１１】
図１は、一実施例の説明図であって、ブーツホルダー４とステップインベース６の基本構成である。ブーツホルダー４にはヒールカップ、スポイラー、ベルトなどのパーツがＣの取り付け穴を利用して組み合わされる。また、ブーツにロックピン３を直接構成された組み合わせの場合ブーツホルダー４はソフトブーツ靴底部４と置き換えて説明できるものである。この場合スポイラーやヒールカップはソフトブーツ本体に組み込まれた形になる。
【００１２】
ロック爪２のロック係止面は３段以上に構成されることが望ましい。従来の変心カム機構においてロック係止面を無段階に変化させることは容易に考えられるがそうした場合は作動した時のクリック音の発生はなく問題を解決する事はできなかった。
【００１３】
図２は、ステップインベース６の説明図である。ブーツホルダー４に構成されたエラストマー５は適度な柔軟性の材質を選ぶことが可能で使用者の好みに応じた固さのものを選べることが望ましい。
従来はロック爪２と共働してロックピン３を固定するＬ字状側板１の溝１Ａの深さは、ロックピン３の下方への動作を限定していた。すなわち、ロックピン３を受け止め、下方への荷重をＬ字状側板１で受けるように構成されていた。本発明はこの部分を大きく進歩させて構成させたもので、あえて下方には自由にロックピン３が移動することを可能としたことを特徴とする。すなわち、ロックピン３の下方への位置制御、すなわち荷重を受ける役は溝１Ａでは行わず、スノーボードに接触するブーツまたはブーツホルダー自体のつま先と踵の靴底部のエラストマーにその役をすべて任せた事が最大の特徴となる。
【００１４】
したがってロックピン３の係止位置とエラストマー５の厚さの関係は非常に重要であり、荷重された場合に圧縮されて沈み込む量を厳密に測定してから材質と厚さの決定がされなければならない。本発明においては高度８０度のウレタンゴムを使用して体重７０ｋｇの人が片足で立ったときにエラストマー部が１ｍｍ沈み込むように靴底部の模様形状を構成し、しかるのち無加重のときに第一段の係止位置においてスノーボード７とエラストマー５のつま先、踵部が平均に接触するように構成し、ロックピン３の段階的に沈み込み可能な量を３ｍｍに構成したことにより良好な結果を得ることができた。
【００１５】
図３は、ロックピン４とロック爪２の説明図である。ロック爪２の符号２Ｃは第一段の係止面であり、符号２Ｄは最終係止面である。この段は作動時のクリック音の発生を明確に聞き取るためには３段以上設けられることが望ましい。
【００１６】
図４は、溝１Ａの底部辺１Ｂとロックピン３の位置関係の説明図である。
【００１７】
従来の製品に左右のロック爪をシャフトで連動させてひとつのレバーで開放する機構の物も見受けられたが、連動シャフトが邪魔になる欠点や製造コストの上昇を招く欠点も有していた。また、通常ロック爪が動作したかどうかの確認は目で確かめるのが一般的であったが、カバーの中に納まった場合など確認できない不便さがあった。従来のロック爪も動作時には1回の音は発生したがその音がはたしてロック爪の動作音か、その他の部分の衝突音かは判別できず頼りになるものではなかった。本発明は、ロック爪の係止点を段階的に変化させクリック音が連続して発生するため他の部品の衝突音とは明確に差別され、音によるロック爪の動作確認が有効になったものである。
【００１８】
同時にロック係合位置の変化は対雪詰り性能の向上に大いに有効なことでもあった。すなわち各段階のそれぞれの位置においてもロック機能は有効であることから間に雪が挟まった場合の対策として大いに有効なことになった。
【００１９】
ロックピン３の長さはＬ字状側板１とロック爪２の板厚の合計値より若干大きい長さであればよく必要以上に大きいと溝１Ａの切り込み深さを大きくする必要が生じＬ字状側板１の強度に不都合が生じる。
【産業上の利用可能性】
【００２０】
本発明よりソフトタイプのスノーボードブーツに金具を組み込まないで汎用品のまま利用できるスリップオンバインディングの為のスリップオンベースが、片方のレバーの操作だけで開放されるようになり、対雪詰まり性能も向上し、かつ安全性の確認ができるという利点が得られた。
【図面の簡単な説明】
【００２１】
【図１】本発明の実施方法を示した説明図である。
【図２】ステップインベースの断面図である。
【図３】本発明の中心部分を拡大した側面図である。
【図４】本発明の中心部分を拡大した断面図である。
【符号の説明】
【００２２】
１          Ｌ字状側板
１Ａ        溝
１Ｂ        溝の底部辺
２          ロック爪
２Ａ        開放レバー
２Ｂ        スプリング架け
２Ｃ        第一段ロック係止面
２Ｄ        最終段ロック係止面
３          ロックピン
４          ブーツホルダ
５          エラストマー
６          ステップインベース
７          スノーボード
Ａ          スプリング
Ｂ          ロック爪位置制御ピン
Ｃ          ねじ取り付け穴
【図１】
2005328935.tif 000003
【図２】
2005328935.tif 000004
【図３】
2005328935.tif 000005
【図４】
2005328935.tif 000006